(57)【要約】【課題】ゴムライニング部分を極力減らしつつ、弁座部分の消耗や損傷を防いだり水質への悪影響を抑えながら高シール性を確保し、キャビテーションの発生を防ぐことができ、製作も簡単なバタフライ弁を提供する。【解決手段】弁箱２内に弁棒３を介して円盤状の弁体５を回転自在に設けたバタフライ弁において、弁体５の外周側位置に巻込形成部１０を設けた。巻込形成部１０には、外周溝１１とこの外周溝１１に連通する貫通穴１２を形成し、外周溝１１と貫通穴１２に充填したゴム８を巻込形成部１０の外周面１０ａに一体に巻込んでゴム巻込部１５を設けると共に、外周溝１１に充填したゴム８の外周部分を止水弁座部２０とした。【選択図】      図６
2014129858.tif 000002
【特許請求の範囲】
【請求項１】
弁箱内に弁棒を介して円盤状の弁体を回転自在に設けたバタフライ弁において、前記弁体の外周側位置に巻込形成部を設け、この巻込形成部には、外周溝とこの外周溝に連通する貫通穴を形成し、前記外周溝と前記貫通穴に充填したゴムを前記巻込形成部の外周面に一体に巻込んでゴム巻込部を設けると共に、前記外周溝に充填したゴムの外周部分を止水弁座部としたことを特徴とするバタフライ弁。
【請求項２】
前記ゴム巻込部を前記弁体の外周側の片面側若しくは両面側、又はオリフィス側の片面側及びノズル側の片面側に設け、前記止水弁座部の外周に凸部を形成した請求項１に記載のバタフライ弁。
【請求項３】
前記止水弁座部を有する前記ゴム巻込部を前記弁体のオリフィス側とノズル側の外周側の片面側のそれぞれに設け、かつ前記ゴム巻込部を延設した翼状片である減勢弁座部を設け、この減勢弁座部に複数の貫通孔又は長穴の流量制御穴を形成し、前記ゴム巻込部と一体に前記貫通孔又は長穴を介して前記減勢弁座部の外周面にゴムライニングした請求項１に記載のバタフライ弁。
【請求項４】
前記止水弁座部の外周に凸部を形成して弁座部とした請求項３に記載のバタフライ弁。
【請求項５】
前記弁体に、流体を前記流量制御穴に向けて整流するための整流部を突設形成した請求項３又は４に記載のバタフライ弁。
【発明の詳細な説明】
【技術分野】
【０００１】
本発明は、バタフライ弁に関し、特に、シール部がゴムライニングされ、主に水道用として用いられるバタフライ弁に関する。
【背景技術】
【０００２】
従来、水道用バタフライ弁として、シール部がゴムライニングされたものが多く用いられている。このようなバタフライ弁の止水部は、社団法人日本水道協会（ＪＷＷＡ）の規格により、弁箱側が金属弁座で弁体側がゴム弁座、或は弁箱側がゴム弁座で弁体側が金属弁座の組み合わせにより構成されている。このうち、弁体側にゴム弁座を設ける場合には、弁体の表面全域、或は弁体外周部の全周にゴムライニングが施される。さらに、弁体側の弁体外周部にゴム弁座を設ける場合には、弁体の外周部に射出成形等でライニング材を環状に覆うように設けるか、又は環状のゴム弁座を弁座押えで挟んで固定することで弁体にゴムの弁座部を設ける場合が通常である。
この種のバタフライ弁として、例えば、特許文献１のバタフライ弁が提案されている。このバタフライ弁は、弁体の外周部を覆う環状ライニング材が表裏面側に連通する連結孔を介して弁体両面側の外周側に一体に設けられ、弁箱の内周面には環状ライニング材が押し付けられる金属製のシートリングが設けられている。
一方において、弁箱側にゴム弁座を設ける場合には、弁箱の内周面の全域にゴムライニングを施すか、或は弁箱の弁座部付近の全周にわたってゴム弁座を取付ける場合が通常である。
【０００３】
さらに、バタフライ弁を流量制御用（耐キャビテーション用）、充水作業用として使用する場合に、弁体の外周縁に翼状片部を設けることで、低開度域での流量制御性の向上機能、キャビテーション抑制機能、小流量充水機能を発揮させようとしたものがある。この場合、弁体側にゴム弁座を設けるときには、環状ゴム弁座を弁座押えで挟んで固定し、弁箱側にゴム弁座を設けるときには、弁箱の内周面の全域にゴムライニングを施すか、或は弁箱の弁座部付近の全周にわたってゴム弁座を取付ける場合が通常である。
【先行技術文献】
【特許文献】
【０００４】
【特許文献１】特開２０１１−７３１３号公報
【発明の概要】
【発明が解決しようとする課題】
【０００５】
バタフライ弁は、流路内で弁体を回転させて止水し、全開の状態でも弁体が流路内に残る構造であるため、バルブの差圧が大きい場合、特に、低開度時においては流速や水質の影響により弁座部が損傷しやすくなり、キャビテーションが発生しやすいという構造状の問題もある。
そのため、表面全域をゴムライニングした弁体の場合には、流体の水質や温度、流速の影響でゴムライニング全体が特に損傷しやすくなる。ゴムライニングの表面積が大きくなることから、ゴム成分が水質に与える悪影響も大きくなる。
弁体外周部をゴムライニングで環状に覆ったり、特許文献１のように連結孔を介して弁体の外周側に環状ライニング材を一体に設けた場合には、弁体の外周側のみが覆われた態様であることにより、弁棒の回転力の反力、止水力、弁箱側に接触したときの摩擦力が加わったときに損傷しやすい。さらに、低開度状態では差圧がより大きくなるため、損傷が一層激しくなる。
弁座押えでゴム弁座を固定する場合には、このゴム弁座を弁体の全周にわたって固定する必要があることから部品点数が多くなると同時に組立てコストもかかり、組立てには相当の技術を必要とするため、品質にばらつきが生じる可能性もある。さらには、弁座押えの固定部分から錆が発生するおそれがある。
【０００６】
一方、弁箱側にゴム弁座を設ける場合には、弁箱内周面の全域にゴムライニングする場合は、ゴムライニングの面積が弁体にライニングする場合に比べて大きくなりライニング材の使用量が多くなる。ゴムライニング部分がより損傷しやすくなり、キャビテーションも発生しやすくなってゴム成分による水質への悪影響が大きくなるという問題もある。ライニングの金型が大きくなりコスト高になる。又、弁箱の弁座部付近の全周にゴム弁座を取付ける場合は、弁座押えでゴム弁座を固定する際に、このゴム弁座を弁座部の全周にわたって固定する必要があるために部品点数が多くなると同時に組立てコストもかかり、組立てには相当の技術を必要とするため、品質にばらつきが生じる可能性もある。さらには、弁座押えの固定部分から錆が発生するおそれがある。
さらに、このバルブの弁体の外周縁に翼状片部を設けた場合、弁箱側ゴム弁座と翼状片部との間隙がせまくなり、特に低開度時に弁座が損傷を受けやすくなる。
【０００７】
本発明は、上記の課題点を解決するために開発したものであり、その目的とするところは、ゴムライニング部分を極力減らしつつ、弁座部分の消耗や損傷を防いだり水質への悪影響を抑えながら高シール性を確保し、キャビテーションの発生を防ぐことができ、製作も簡単なバタフライ弁を提供することにある。
【課題を解決するための手段】
【０００８】
上記目的を達成するため、請求項１に係る発明は、弁箱内に弁棒を介して円盤状の弁体を回転自在に設けたバタフライ弁において、弁体の外周側位置に巻込形成部を設け、この巻込形成部には、外周溝とこの外周溝に連通する貫通穴を形成し、外周溝と貫通穴に充填したゴムを巻込形成部の外周面に一体に巻込んでゴム巻込部を設けると共に、外周溝に充填したゴムの外周部分を止水弁座部としたバタフライ弁である。
【０００９】
請求項２に係る発明は、ゴム巻込部を弁体の外周側の片面側若しくは両面側、又はオリフィス側の片面側及びノズル側の片面側に設け、止水弁座部の外周に凸部を形成したバタフライ弁である。
【００１０】
請求項３に係る発明は、止水弁座部を有するゴム巻込部を弁体のオリフィス側とノズル側の外周側の片面側のそれぞれに設け、かつゴム巻込部を延設した翼状片である減勢弁座部を設け、この減勢弁座部に複数の貫通孔又は長穴の流量制御穴を形成し、ゴム巻込部と一体に貫通孔又は長穴を介して減勢弁座部の外周面にゴムライニングしたバタフライ弁である。
【００１１】
請求項４に係る発明は、止水弁座部の外周に凸部を形成して弁座部としたバタフライ弁である。
【００１２】
請求項５に係る発明は、弁体に、流体を流量制御穴に向けて整流するための整流部を突設形成したバタフライ弁である。
【発明の効果】
【００１３】
請求項１に係る発明によると、弁体の外周側位置に設けた巻込形成部に外周溝と貫通孔とを形成し、外周溝と貫通穴に充填したゴムを巻込形成部の外周面に巻込むように一体化したゴム巻込部を設けていることにより、ゴムライニング部分を必要最小限に減らしつつ、弁棒の回転力、止水力、弁座面との摩擦力などを弁体で受けることで、弁座部分の消耗や損傷を防いで耐久性を向上してシール性能を維持できる。この場合、ゴムを弁体に強固に固定できるため、低開度状態で強い流体圧力が加わったとしても、ゴムがずれたり外れたりすることが防がれる。しかも、弁体の表面全域や弁箱の内周面の全域にゴムライニングを施す場合に比較して、製作時のゴムの使用量を削減したことでコストを抑えて製作でき、ゴムの表面積が少ないことで水質への悪影響も最小限に抑えられる。ゴム固定用の別部品や接着剤若しくは加硫接着を必要としないため部品点数を削減可能となり、組立時の調整などを必要とすることなく加硫成形等のライニングでゴムを弁体に簡単に一体化できる。そのため錆も発生することがなく、所定厚さのゴム層に設けることで製品を標準化して精度の高い製品を製作可能になる。外周溝に充填したゴムの外周部分を止水弁座部としていることで、弁閉時には高シール性を発揮する。
【００１４】
請求項２に係る発明によると、ゴム巻込部を弁体の外周側の片面、又はオリフィス側の片面側及びノズル側の片面側に設けた場合には、弁体の弁箱との当接側のみを片面ライニングすることでゴムの使用量を極力抑え、弁閉時には凸部が弁箱側に強く圧接シールして高シール性を発揮し、流体が漏れるおそれがない。ゴム巻込部を弁体の外周側の両面側に設けた場合には、このゴム巻込部を弁体に強固に一体化できる。
【００１５】
請求項３に係る発明によると、翼状片である減勢弁座部をオリフィス側とノズル側にそれぞれ設けたことにより、初期通水時にウォーターハンマによる管のトラブル等を回避する充水用のバタフライ弁として特に優れた機能を発揮する。ゴム巻込部と一体に流量制御穴を介して減勢弁座部の外周面にゴムライニングしていることで、弁閉動作時における減勢弁座部側と弁箱側との隙間を極小にでき、この隙間から流れる流量を最小限に抑えて充水孔となる流量制御穴からの流量を正確にコントロールできるため、減勢機能や止水機能が向上する。特に、低開度時には流量制御穴により流れを分散してキャビテーションの発生を防止する。
【００１６】
請求項４に係る発明によると、弁閉時には凸部が弁箱側に強く圧接シールして高シール性を発揮し、流体の漏れを確実に防止できる。
【００１７】
請求項５に係る発明によると、弁体に整流部を設けることで、特に低開度時における流量制御能力が向上し、耐キャビテーション性能も高まる。
【図面の簡単な説明】
【００１８】
【図１】（ａ）は本発明のバタフライ弁の一実施形態におけるゴム巻込部を設けた弁体を示す平面図である。（ｂ）は（ａ）のＡ−Ａ断面図である。（ｃ）は（ｂ）の下面図である。
【図２】（ａ）は弁体を示す拡大下面図である。（ｂ）は（ａ）のＢ−Ｂ断面図である。
【図３】本発明のバタフライ弁の一実施形態の弁開状態を示した断面図である。
【図４】バタフライ弁の低開度状態を示した断面図である。
【図５】バタフライ弁の初期閉状態を示した断面図である。
【図６】バタフライ弁の閉状態を示した断面図である。
【図７】本発明のバタフライ弁の他の実施形態におけるゴム巻込部を設けた弁体を示した斜視図である。
【図８】（ａ）は図７の平面図である。（ｂ）は（ａ）のＣ−Ｃ断面図である。（ｃ）は（ｂ）の下面図である。
【図９】（ａ）は図８（ｃ）のＤ−Ｄ断面図である。（ｂ）は図８（ｃ）のＥ−Ｅ断面図である。（ｃ）は図８（ｃ）のＦ−Ｆ断面図である。（ｄ）は図８（ｃ）のＧ−Ｇ断面図である。
【図１０】（ａ）は図８（ａ）のＨ−Ｈ断面図である。（ｂ）は図８（ａ）のＩ−Ｉ断面図である。（ｃ）は図８（ａ）のＪ−Ｊ断面図である。（ｄ）は図８（ａ）のＫ−Ｋ断面図である。（ｅ）は図８（ａ）のＬ−Ｌ断面図である。
【図１１】図７における弁体を示す斜視図である。
【図１２】（ａ）は図１１の弁体の平面図である。（ｂ）は（ａ）のＭ−Ｍ断面図である。（ｃ）は（ａ）の正面図である。
【図１３】バタフライ弁の他の実施形態の弁開状態を示した断面図である。
【図１４】図１３のバタフライ弁の低開度状態を示した断面図である。
【図１５】図１４のバタフライ弁をさらに弁閉方向に回転した状態を示す断面図である。
【図１６】図１４のバタフライ弁の閉状態を示した断面図である。
【図１７】（ａ）は本発明のバタフライ弁の更に他の実施形態のゴム巻込部を設けた弁体の下面図である。（ｂ）は本発明のバタフライ弁の更に他の実施形態のゴム巻込部を設けた弁体の平面図である。
【図１８】本発明のバタフライ弁の更に別の実施形態のゴム巻込部を設けた弁体の斜視図である。
【発明を実施するための形態】
【００１９】
以下に、本発明におけるバタフライ弁の実施形態を図面に基づいて詳細に説明する。図１においては、本発明のバタフライ弁の一実施形態におけるゴム巻込部を設けた弁体を示しており、図２においてはゴム巻込部を設ける前の弁体を示している。
【００２０】
図３に示すように、本発明のバタフライ弁（以下、弁本体１という）は、金属製の弁箱２、弁棒３、例えば鋳物からなる円盤状の金属製弁体５を有し、弁箱２内に弁棒３を介して弁体５が回転自在に設けられている。
【００２１】
弁箱２の流路６には環状の弁座面７が形成され、弁体５が回転したとき、この弁体５にライニングされたゴム８が弁座面７に当接シール可能になっている。弁本体１においては、弁棒３の中心と弁体５の中心とを流路方向に離した単偏心形のバタフライ弁としているが、中心形やこの単偏心形からさらに弁棒の回転軸の中心を弁本体１の流路の中心線から平行に移動した二重偏心形のバタフライ弁とすることも可能である。なお、図中、ゴム８をクロスハッチングにより示している。
【００２２】
図２（ｂ）において、弁体５の外周側位置にはこの弁体５にゴム８を被覆するための巻込形成部１０が設けられている。巻込形成部１０は、弁体５の回転時に弁座面７に接触しない厚さに形成され、この巻込形成部１０には適度の深さの外周溝１１が形成され、さらに、図２（ａ）において、外周溝１１には弁体５の略直径方向に連通する貫通穴１２が放射状に複数形成されている。貫通穴１２は、等間隔により適宜数設けることができる。
【００２３】
ゴム８は、例えば加硫成形により外周溝１１と貫通穴１２に充填され、巻込形成部１０の外周面１０ａを一体に巻込むように設けられ、これにより巻込形成部１０にゴム巻込部１５が設けられる。この構成により、ゴム巻込部１５は、弁体５の外周側の片面側に設けられ、外周溝１１に充填したゴム８の外周部分が環状の止水弁座部２０となり、この止水弁座部２０が弁座面７と圧接シール可能になる。ゴム巻込部は、弁体の外周側の両面側、又はオリフィス側の片面側及びノズル側の片面側に設けられていてもよい。
止水弁座部２０の外周には凸部２１が形成され、弁閉時にはこの凸部２１が圧縮しながら弁座面７に密着シールする。
【００２４】
この場合、外周に止水弁座部２０が形成された「外周溝１１に充填したゴム」は、ゴム巻込部１５よりも肉厚を大きく設定しているので、止水弁座部２０が弁本体１の弁座面７との密着に必要な圧縮力や弾性力を、長期に渡って維持することができる。
外周溝１１に充填したゴムの外周を止水弁座部２０としているので、上記の圧縮力や弾性力を外周溝１１の内壁で支えることができ、高いシール性を得ることができる。
【００２５】
続いて、上述したバタフライ弁の上記実施形態における動作を説明する。
図３においては、弁本体１における弁体５の全開状態を示している。バタフライ弁では、図に示すように弁開状態において弁体５が流路６内に残って常に露出した状態となる。
この図３の状態から弁棒３を時計方向に回転させ、図４の低開度状態まで弁体５を閉方向に移動すると、弁座面７とゴム巻込部１５との隙間Ｇが狭くなるため流速が増し、弁体５の一次側と二次側との差圧が大きくなる。そのため、弁体５を弁閉方向に回転するにつれてゴム巻込部１５にかかる力は大きくなるが、前記のように弁体５の外周側位置に設けた巻込形成部１０の外周溝１１と貫通穴１２にゴム８を充填し、このゴム８を巻込形成部１０の外周面１０ａに一体に巻込んでゴム巻込部１５を設けていることにより、ゴム８で巻込形成部１０を囲むように一体化でき、ゴム巻込部１５が流体により大きく変形したり弁体５から剥がれることが防がれる。
【００２６】
図５においては、弁本体１の初期閉状態を示している。このとき、弁体５の止水弁座部２０が弁座面７に徐々に接触し始め、弁体５の回転力による反力と、弁座面７との摩擦力が弁座面７に加わり始め、この力は図６の弁閉状態まで増加する。この場合、外周溝１１に充填したゴム８の外周部分を止水弁座部２０としていることで、この止水弁座部２０の流体との接触面積が最小限に抑えられて耐久性を向上できる。しかも、ゴム８が外周溝１１に充填されていることでゴム巻込部１５にかかる止水力、弁棒３の回転力、弁座面７との摩擦力が外周溝１１内のゴム８から弁体５に伝わるため、ゴム巻込部１５にかかる負荷を抑えることができ、止水弁座部２０の消耗や損傷を抑えることができる。
【００２７】
図６の弁閉状態になった場合には、止水弁座部２０の外周の凸部２１が弁座面７に当接し、この凸部２１が圧縮されることで高シール性を発揮しながら弁閉状態にでき、確実に止水することが可能になる。弁閉状態でゴム巻込部１５に水圧が加わった場合、この水圧が外周溝１１に充填されたゴム８から弁体５に伝わることで水圧に対して十分な強度を確保でき、確実に止水することが可能となる。
【００２８】
次いで、図７、図８においては、弁本体１の他の実施形態における弁体を示している。なお、この実施形態以降において、上記実施形態と同一部分は同一符号によって表し、その説明を省略する。
この実施形態において、図１３に示した弁本体３０は、例えば、流量制御用や、耐キャビテーション用、充水作業用等として使用される。
【００２９】
図７、図８において、図１３に示した弁本体３０の弁体３１には、止水弁座部２０を有するゴム巻込部１５が弁体３１のオリフィス側とノズル側の外周の片面側のそれぞれに設けられている。さらに、図８（ｂ）に示すように、ゴム巻込部１５には翼状片からなる減勢弁座部３６、３７が延設されるように設けられ、この減勢弁座部３６、３７は、弁体３１の低開度時に弁箱２の弁座面７との間に隙間Ｇを形成可能なＲ形状に設けられている。減勢弁座部３６、３７には複数の貫通孔４１が流量制御穴として略等間隔に形成され、この貫通孔４１により低開度時の流量を調節可能になっている。
【００３０】
図８（ｂ）に示すように、弁体３１の外周面には外周溝１１が形成され、図７、図１１に示すようにこの外周溝１１には弁体３１の略直径方向に連通する貫通穴１２と、弁体３１の厚さ方向に連通する貫通穴１２とがそれぞれ略等間隔で適宜数形成されている。
【００３１】
図８〜図１２に示した弁体３１を弁箱２内に弁棒３で回転自在に設けたときに、弁閉状態で下流側に位置する減勢弁座部３６がオリフィス側減勢弁座部、上流側に位置する減勢弁座部３７がノズル側減勢弁座部となり、図９においてはオリフィス側減勢弁座部３６の断面、図１０においてはノズル側減勢弁座部３７の断面を示している。これらの減勢弁座部３６、３７は、何れも弁体３１の側部付近になるにつれて断面が大きくなる。
【００３２】
図８、図９においてオリフィス側減勢弁座部３６では、図９（ａ）、図９（ｂ）に示すように、側部では貫通穴１２が弁体３１の略直径方向に形成され、図９（ｃ）に示すように弁棒３側付近では貫通穴１２が弁体３１の厚さ方向に形成され、これらの各貫通穴１２を介してゴム巻込部１５と一体にオリフィス側減勢弁座部３６の外周面にゴムライニングがされている。
【００３３】
図８、図１０においてノズル側減勢弁座部３７では、図１０（ａ）、図１０（ｂ）、図１０（ｄ）に示すように、何れの貫通穴１２も弁体３１の厚さ方向に形成され、これらの貫通穴１２を介してゴム巻込部１５と一体にノズル側減勢弁座部３７の外周面にゴムライニングがされている。
この実施形態においても、前記実施形態と同様に止水弁座部２０の外周に凸部２１が形成され、この凸部２１が弁座面７に圧接シールする。
【００３４】
続いて、この実施形態のバタフライ弁の動作を説明する。
図１３においては、弁本体３０の全開状態を示している。この全開状態から弁棒３を時計方向に回転させ、図１４の低開度状態まで弁体３１を閉方向に移動すると、減勢弁座部３６、３７と弁座面７との間、及び貫通孔４１を流体が通過することでキャビテーションが抑制される。このとき、止水弁座部２０付近には大きい力がかかろうとするが、前記のようにオリフィス側とノズル側の外周の片面側のそれぞれにゴム巻込部１５を設け、このゴム巻込部１５を延設した減勢弁座部３６、３７の貫通孔４１を介して外周面に一体にゴムラインニングしていることにより、弁体３１の回転力、水圧に対してゴム８が強く固定され、このゴム８の変形や剥がれが防止される。
【００３５】
さらに、図１５の状態まで弁棒３を回転させると、各減勢弁座部３６、３７が軽く弁座面７に接触するか隙間Ｇが極小の状態となる。これにより、減勢弁座部３６、３７と弁座面７との間からの漏れがほとんど無くなり、貫通孔４１を通して流体が流れる。この貫通孔４１にもゴムライニングされていることで、流水時の騒音が低減しキャビテーションも抑制される。
【００３６】
止水弁座部２０が弁座面７に徐々に接触し始めて弁本体３０が初期閉状態に達すると、弁体３１の回転力による反力、弁座面７との摩擦力が加わり始めて流体による力が増加するが、減勢弁座部３６、３７により流体の勢いを抑えることで、止水弁座部２０の消耗や損傷が抑えられる。この場合、完全止水の手前までは、これら減勢弁座部３６、３７を設けた範囲で減勢機能が発揮されて容易に止水できる。図１６においては、バタフライ弁の閉状態を示している。ゴム巻込部１５に水圧が加わると、この力は金属製の弁体３１に伝わるため、水圧に対して十分な強度を発揮して確実に止水できる。
このようにして、減勢弁座部３６、３７を設けた弁体３１にゴムライニングすることで低開度域での流量制御性が向上し、キャビテーション抑制機能が向上し、小流量充水機能を発揮でき、流量制御用、耐キャビテーション用、充水作業用のバタフライ弁として優れた機能を発揮できる。
【００３７】
各減勢弁座部３６、３７の外周面にゴムライニングを施しているので、切削加工を施すことなく外周寸法を正確に設定することができる。これにより、図１５に示すような「隙間Ｇが最小になる状態」を容易に得ることができる。ここに、「隙間Ｇが最小になる状態」とは、弁体３１の回転を可能としながらも、隙間Ｇから流体がほとんど漏れなくなる状態をいう。このときの「隙間Ｇが最小になる状態」の弁操作トルクは、図１６に示す弁閉状態近くの弁操作トルクよりも低く設定している。なお、オリフィス側とノズル側の減勢弁座部３６、３７の断面形状が異なるのは、偏心形弁体３１の成形上の理由による。
【００３８】
図１７においては、本発明のバタフライ弁の更に他の実施形態における弁体を示しており、この実施形態における弁体５０には、流体を流量制御穴である貫通孔４１に整流しながら流すための板状の整流部５２が設けられている。整流部５２は、弁体５０に対して放射状に突設形成され、弁開時にこの整流部５２の間を通って流体が貫通孔４１に流れる。これにより、低開度時の水勢を抑えて止水弁座部２０の消耗や損傷を抑え、弁開度の微調整等の制御性を高め、キャビテーションを抑えることで、耐キャビテーションバタフライ弁としてより高い性能を発揮する。整流部５２は、弁箱２の流路６の口径等に応じて適宜の突設高さや数に設定することが可能である。
【００３９】
図１８においては、弁体の更に別の実施形態を示している。この実施形態における弁体６０では、減勢弁座部３６、３７に長穴６１からなる流量制御穴６１を形成し、各減勢弁座部３６、３７に一つずつ形成したこの長穴６１で低開度状態の流量を制御するものである。このように、流量制御穴の形状や数を適宜変更することもできる。図示しないが、流量制御穴６１を長穴とした場合、弁棒３挿入用の弁体６０の挿入穴を上下に連通するように形成し、この挿入穴により弁体６０の中心に形成された隆起部分から弁体６０の側部にかけてなだらかな略円錐状に形成して整流部を形成すれば、この整流部により整流作用を発揮しながら長穴６１に流体を流すことが可能になる。このように整流部を板状以外の各種形状に設けることもできる。
【符号の説明】
【００４０】
１、３０  弁本体
２  弁箱
３  弁棒
５、３１  弁体
８  ゴム
１０  巻込形成部
１０ａ  外周面
１１  外周溝
１２  貫通穴
１５  ゴム巻込部
２０  止水弁座部
２１  凸部
３６  オリフィス側減勢弁座部
３７  ノズル側減勢弁座部
４１  貫通孔（流量制御穴）
５２  整流部
６１  長穴（流量制御穴）
【図１】
2014129858.tif 000003
【図２】
2014129858.tif 000004
【図３】
2014129858.tif 000005
【図４】
2014129858.tif 000006
【図５】
2014129858.tif 000007
【図６】
2014129858.tif 000008
【図７】
2014129858.tif 000009
【図８】
2014129858.tif 000010
【図９】
2014129858.tif 000011
【図１０】
2014129858.tif 000012
【図１１】
2014129858.tif 000013
【図１２】
2014129858.tif 000014
【図１３】
2014129858.tif 000015
【図１４】
2014129858.tif 000016
【図１５】
2014129858.tif 000017
【図１６】
2014129858.tif 000018
【図１７】
2014129858.tif 000019
【図１８】
2014129858.tif 000020